(57)【特許請求の範囲】
【請求項１】
通常の運転モードの他に、試験的な運転を行なう試運転モードを備えた空気調和機であって、
前記空気調和機の通常の運転モードでの運転開始及び停止を行なうための運転／停止ボタンが常時表面に露出すると共に、運転開始後に各々異なる指示を行なうための複数のスイッチが設けられ、前記運転／停止ボタン及び前記複数のスイッチの操作に応じて操作信号を出力するリモコンスイッチと、
室内ユニットに設けられ前記リモコンスイッチから出力された前記操作信号を受信する受信手段と、
前記受信手段によって前記リモコンスイッチに設けられた前記複数のスイッチのうちの予め定められた２つ以上のスイッチの重複操作によって出力された操作信号が受信された場合に試運転モードに設定する設定手段と、
前記試運転モードの設定によって試験的な運転を行なっている際に、前記受信手段によって前記運転／停止ボタンの操作によって出力された操作信号が受信された場合に前記試運転モードの設定を解除して前記試験的な運転を停止する解除停止手段と、
を備えた空気調和機。
【発明の詳細な説明】
【０００１】
【発明の属する技術分野】
本発明は、空気調和機に係り、特に、リモコンスイッチからの操作信号に基づいて運転／停止等の操作が行なわれる空気調和機に関する。
【０００２】
【従来の技術】
室内を空調する空気調和機（以下「エアコン」と言う）は、冷凍サイクル中を循環される冷媒が室内ユニットに設けている熱交換器を通過するときに、室内へ空調風として吹出す空気との間で熱交換を行なう。
【０００３】
このようなエアコンでは、ワイヤレス式のリモコンスイッチ（ワイヤレスリモコン、以下「リモコンスイッチ」と言う）によって、運転／停止は勿論、冷房運転、暖房運転、ドライ運転等の運転モード、設定温度、風量等の設定が行なわれる。エアコンの室内ユニットは、リモコンスイッチから送信される赤外線信号を受信する受光部を備えており、この受光部でリモコンスイッチから送信された操作信号を受信すると、室内ユニット内に設けられているマイクロコンピュータ（マイコン）が受信した操作信号に基づいて各機器を制御して、空調を行なう。
【０００４】
ところで、エアコンには、サービスマン等によって被空調室に取り付けられた時点等に試験的に運転状態を確認するための運転モードである試運転モードを備えたものがある。
【０００５】
このような試運転モードを備えたエアコンの室内ユニットには、例えば図８に示すような、エアコンの運転モードを「停止」、「通常運転」、「試運転」及び「ＤＥＭＯ」の何れかに切り換える運転切換スイッチ８８’が設けられており、通常の空調運転を行なう際にはノッチ１２４を「通常運転」の位置に位置させ、試運転モードを設定する場合にはノッチ１２４を「試運転」の位置に位置させていた。なお、上記「ＤＥＭＯ」は、エアコンを販売店の店頭や展示会等において展示する際にデモンストレーションを行なうモードであるデモンストレーションモード（以下、「デモモード」と言う）に設定する場合に適用されるものである。
【０００６】
このような機能を有する運転切換スイッチは、通常の空調運転時には切り換えることが殆ど無いので、一般に室内ユニットの内部に設けられている。
【０００７】
【発明が解決しようとする課題】
しかしながら、上記試運転モードを備えたエアコンでは、試運転モードに設定する際に室内ユニットの内部に設けられている運転切換スイッチを「試運転」に切り換える必要があるため、手間がかかる、という問題点があった。
【０００８】
また、上記試運転モードを備えたエアコンでは、運転切換スイッチが通常は誰にでも操作できる状態で設けられているので、誤って試運転モードが設定される場合がある、という問題点があった。試運転モードは、上述したようにエアコンがサービスマン等によって被空調室に取り付けられた時点等に試験的に運転状態を確認するための運転モードであるので、このモードに誤って設定された場合、通常の空調運転を行なうことができなくなる。
【０００９】
本発明は上記問題点を解消するために成されたものであり、試運転モードを容易に設定することができると共に、試運転モードへの不用意な誤設定を防止することができる空気調和機を提供することを目的とする。
【００１０】
【課題を解決するための手段】
上記目的を達成するために、請求項１記載の空気調和機は、通常の運転モードの他に、試験的な運転を行なう試運転モードを備えた空気調和機であって、前記空気調和機の通常の運転モードでの運転開始及び停止を行なうための運転／停止ボタンが常時表面に露出すると共に、運転開始後に各々異なる指示を行なうための複数のスイッチが設けられ、前記運転／停止ボタン及び前記複数のスイッチの操作に応じて操作信号を出力するリモコンスイッチと、室内ユニットに設けられ前記リモコンスイッチから出力された前記操作信号を受信する受信手段と、前記受信手段によって前記リモコンスイッチに設けられた前記複数のスイッチのうちの予め定められた２つ以上のスイッチの重複操作によって出力された操作信号が受信された場合に試運転モードに設定する設定手段と、前記試運転モードの設定によって試験的な運転を行なっている際に、前記受信手段によって前記運転／停止ボタンの操作によって出力された操作信号が受信された場合に前記試運転モードの設定を解除して前記試験的な運転を停止する解除停止手段と、を備えている。
【００１１】
請求項１記載の空気調和機によれば、各々異なる指示内容を有する複数のスイッチが設けられたリモコンスイッチによって、上記スイッチの操作に応じた操作信号が送出され、該送出された操作信号が室内ユニットに設けられた受信手段によって受信される。
【００１２】
また、上記受信手段によって受信された操作信号にリモコンスイッチに設けられた複数のスイッチのうちの予め定められた２つ以上のスイッチの重複操作によって生成された試運転モードへの移行を指示する信号が含まれている場合には設定手段によって試運転モードに設定される。
【００１３】
このように、請求項１記載の空気調和機によれば、試運転モードへの移行をリモコンスイッチから送出される操作信号に基づいて行なっているので、試運転モードを運転切換スイッチによって設定する場合に比較して容易に設定することができると共に、運転切換スイッチに試運転モードの設定機能を持たせる必要がなくなり低コスト化することができる。
【００１４】
また、請求項１記載の空気調和機によれば、試運転モードへの移行を指示する信号がリモコンスイッチに設けられた複数のスイッチのうちの予め定められた２つ以上のスイッチの重複操作によって生成された信号とされているので、通常の空調運転時における各種操作は、リモコンスイッチに設けられた複数のスイッチの個別の操作によって行なわれ、偶然に上記予め定められた２つ以上のスイッチの重複操作が行なわれない限りは試運転モードに移行することがなく、空気調和機の一般の使用者等による誤った試運転モードヘの移行を防止することができる。
【００１５】
【発明の実施の形態】
以下に図面を参照しながら本発明の実施の形態について詳細に説明する。
【００１６】
図２には、本実施の形態に係る空気調和機（以下「エアコン１０」という）の冷凍サイクルを示している。このエアコン１０は、被空調室に設置される室内ユニット１２と室外に設置される室外ユニット１４によって構成されており、室内ユニット１２と室外ユニット１４とは、冷媒を循環させる太管の冷媒配管１６Ａと、細管の冷媒配管１６Ｂとで接続されている。
【００１７】
室内ユニット１２には、熱交換器１８が設けられており、冷媒配管１６Ａ、１６Ｂのそれぞれの一端がこの熱交換器１８に接続されている。また、冷媒配管１６Ａの他端は、室外ユニット１４のバルブ２０Ａに接続されている。このバルブ２０Ａは、マフラー２２Ａを介して四方弁２４に接続されている。この四方弁２４は、アキュムレータ２８を介して及びマフラー２２Ｂを介してコンプレッサ２６に接続されている。
【００１８】
さらに、室外ユニット１４には、熱交換器３０が設けられている。この熱交換器３０は、一方が四方弁２４に接続され、他方がキャピラリチューブ３２、ストレーナ３４、モジュレータ３８を介してバルブ２０Ｂに接続されている。また、ストレーナ３４とモジュレータ３８の間には、電動膨張弁３６が設けられ、バルブ２０Ｂには、冷媒配管１６Ｂの他端が接続されている。これによって、室内ユニット１２と室外ユニット１４の間に冷凍サイクルを形成する冷媒の密閉された循環路が構成されている。
【００１９】
エアコン１０は、図示しないコンプレッサモータの駆動によりコンプレッサ２６が運転されると、冷凍サイクル中を冷媒が循環される。図２で、矢印によって暖房運転時（暖房モード）と冷房運転時（冷房モードまたはドライモード）の冷媒の流れを示すように、エアコン１０は、四方弁２４の切り換えによって、運転モードが冷房モード（含むドライモード）と暖房モードが切り換えられ、電動膨張弁３６の弁開度を制御することにより、冷媒の蒸発温度が調整される。
【００２０】
図１及び図４に示されるように、室内ユニット１２は、ケーシング４２に吸込み口４８と吹出し口５０が形成されており、このケーシング４２内に熱交換器１８が配置されている。図４に示すように、室内ユニット１２は、ケーシング４２の裏面に設けているベース板４０によって被空調室の壁面等へ所定の高さで固定される。
【００２１】
このケーシング４２内には、熱交換器１８と共にクロスフローファン４４が配置されており、クロスフローファン４４の作動によって室内の空気が吸込み口４８からフィルタ４６を通過してケーシング４２内へ吸引される。ケーシング４２内に吸引された空気は、熱交換器１８を通過した後、吹出し口５０から室内へ吹き出される。この空気は、熱交換器１８を通過することにより、熱交換器１８内を循環される冷媒との間で熱交換が行なわれ、室内を空調する温調された空気（空調風）となる。
【００２２】
室内ユニット１２の吹出し口５０には、上下フラップ５４と上下フラップ５４の奥側に左右フラップ５２が設けられており、この左右フラップ５２と上下フラップ５４によって、吹出し口５０から吹き出される空調風の向きが変えられる。エアコン１０では、左右フラップ５２が手動で向きが変えられるようになっており、主に上下フラップ５４の向きを制御することにより吹出し口５０から吹出す空調風の風向を制御している。なお、エアコン１０としては、上下フラップ５４と共に左右フラップ５２の向きを制御するものであっても良い。
【００２３】
図３に示されるように、室内ユニット１２には、電源基板５６、コントロール基板５８及びパワーリレー基板６０が設けられている。電源基板５６には、モータ電源６２、制御回路電源６４、シリアル電源６６及び駆動回路６８が設けられており、エアコン１０を運転するための電力（例えば単相１００Ｖの交流電力）が供給されるようになっている。また、コントロール基板５８には、シリアル回路７０、駆動回路７２及びマイクロコンピュータ（マイコン７４）が設けられている。
【００２４】
電源基板５６の駆動回路６８には、前記したクロスフローファン４４を駆動するファンモータ７６（例えばＤＣブラシレスモータ）が接続されており、コントロール基板５８に設けられているマイコン７４からの制御信号に応じてモータ電源６２から駆動電力を供給する。このとき、マイコン７４は、駆動回路６８からの出力電圧を１２Ｖ〜３６Ｖの範囲で２５６ステップで変化させるように制御する。これによって、室内ユニット１２の吹出し口５０から吹き出される空調風の風量が調整される。
【００２５】
コントロール基板５８の駆動回路７２には、パワーリレー基板６０と、上下フラップ５４を操作する上下フラップモータ７８とが接続されている。パワーリレー基板６０には、パワーリレー８０と温度ヒューズ等が設けられており、マイコン７４からの信号によってパワーリレー８０を操作し、室外ユニット１４へ電力を供給するための接点８０Ａを開閉する。エアコン１０は、接点８０Ａが閉じられることにより、室外ユニット１４への電力の供給が可能となる。
【００２６】
上下フラップモータ７８は、マイコン７４の制御信号に応じて作動されて上下フラップ５４を操作し、所望の領域へ向けて空調風が吹出されるようにしている。
【００２７】
マイコン７４及び電源基板５６のシリアル電源６６に接続されているシリアル回路７０は、室外ユニット１４へ接続されており、マイコン７４は、このシリアル回路７０を介して室外ユニット１４との間でシリアル通信を行なう。
【００２８】
また、マイコン７４には、室内温度を検出する室温センサ８４及び熱交換器１８のコイル温度を検出する熱交温度センサ８６が接続され、さらに、コントロール基板５８に設けられているサービスＬＥＤ及び運転切換スイッチ８８が接続されている。なお、運転切換スイッチ８８は、図５に示すように、室内ユニット１２のケーシング４２の内部に設けられており、ノッチ１２４を図５左右方向にスライド移動することによって、「通常運転」と「ＤＥＭＯ」（デモモード）との切換及び、エアコン１０の運転を停止する「停止」に切換えられる。
【００２９】
エアコン１０は、通常の空調運転を行なう際には運転切換スイッチ８８のノッチ１２４を「通常運転」の位置に設定して使用される。これにより、接点８８Ａが閉じられて、室内ユニット１２へ運転用の電力が供給される。また、運転切換スイッチ８８のノッチ１２４を「停止」の位置にすることにより、接点８８Ａが開放されて、室内ユニット１２への電力の供給が停止される。更に、運転切換スイッチ８８のノッチ１２４を「ＤＥＭＯ」の位置にすることにより所定のデモンストレーション運転が実施される。なお、サービスＬＥＤは、メンテナンス時に点灯操作することにより、サービスマンに自己診断結果を知らせるようになっている。
【００３０】
室内ユニット１２には、室外ユニット１４への配線が接続される端子台９０が設けられている。この端子台９０のターミナル９０Ａ、９０Ｂ、９０Ｃには、室内ユニット１２から室外ユニット１４へ供給する電源用の配線と室内ユニット１２と室外ユニット１４の間でシリアル通信を行なうための配線が接続される。
【００３１】
エアコン１０は、後述するリモコンスイッチ１２０の操作によって通常の空調運転を開始するときに、パワーリレー８０をオンして接点８０Ａを閉じることにより室外ユニット１４へ電力を供給する。このとき、室内ユニット１２に設けているマイコン７４が室外ユニット１４に設けられている図示しないマイコンとの間でシリアル通信を行ない、室外ユニット１４の作動を制御するようになっている。
【００３２】
一方、マイコン７４には、表示基板８２が接続されている。この表示基板８２は、運転表示用の表示ＬＥＤ等が設けられた表示部９４と、リモコンスイッチ１２０から送出される操作信号を受信する受光素子９８を備えた受光部９６が設けられている。受光素子９８は、受信回路９２に接続され、受光素子９８によって受信した操作信号が、受信回路９２からマイコン７４に出力される。
【００３３】
図１に示されるように、室内ユニット１２のケーシング４２には、前面に表示部９４と受光部９６が配置されており、この表示部９４のＬＥＤ等の点灯状態からエアコン１０の運転状態を確認できるようになっている。また、受光部９６へ向けてリモコンスイッチ１２０を操作することにより、操作信号を受信できるようになっている。
【００３４】
図６（Ａ）及び図６（Ｂ）には、リモコンスイッチ１２０の一例が示されている。リモコンスイッチ１２０には、ＬＣＤを用いた表示部１２２が設けられている。この表示部１２２には、運転モードを示すマーク、設定温度に加え、風向、風量等のエアコン１０を運転するときの運転条件ないし運転状態を示すマークが表示されると共に、エアコン１０が後述する試運転モードで運転されている際に試運転マーク１４０が表示される。
【００３５】
また、リモコンスイッチ１２０には、運転／停止ボタン１２４、温度設定ボタン１２６Ａ、１２６Ｂと共に、１Ｈタイマーボタン１２８が設けられている。エアコン１０は、運転／停止ボタン１２４の操作によって運転／停止される。また、温度設定ボタン１２６Ａ、１２６Ｂの操作によって設定温度（空調するときの目標温度）が変えられる。
【００３６】
リモコンスイッチ１２０には、スライドカバー１３４内に種々の操作ボタンを有する操作パネル１３２が設けられている。この操作パネル１３２には、エアコン１０の運転モードを自動、暖房、ドライ、冷房、空気清浄、乾燥と順に切り換える運転モードボタン１３６、吹出し口５０から吹出す空調風の風量（クロスフローファン４４の回転数）を切り換える風量ボタン１４２、上下フラップ５４を操作して風向を選択する風向ボタン１４４及びタイマ設定を行なうための入時間ボタン１４６、切時間ボタン１４８、設定ボタン１５０等が設けられている。
【００３７】
このリモコンスイッチ１２０は、スイッチ操作がなされると各スイッチの操作状態に応じた所定のフォーマットの操作信号を、赤外線信号（赤外線発光素子のオン／オフ信号）として送出する。
【００３８】
エアコン１０では、リモコンスイッチ１２０と、このリモコンスイッチ１２０から送出される操作信号を受信する受光部９６及び受信回路９２によってリモコン操作装置１００（図３参照）が形成されており、リモコンスイッチ１２０の操作信号が受信回路９２を介してマイコン７４に入力されるようになっている。マイコン７４は、この操作信号に基づいてエアコン１０の作動を制御する。
【００３９】
室内ユニット１２のマイコン７４は、リモコンスイッチ１２０から運転開始を指示する操作信号（運転／停止ボタン１２４の操作に基づいた操作信号）を受信すると、パワーリレー８０をオンして室外ユニット１４へ電力を供給すると共に、シリアル通信によって室外ユニット１４を制御しながら空調運転を行なう。
【００４０】
また、本実施の形態に係るエアコン１０は、サービスマン等によって被空調室に取り付けられた時点等に試験的に運転状態を確認するための運転モードである試運転モードを備えている。
【００４１】
この試運転モードの設定は、室外ユニット１４におけるコンプレッサ２６の駆動周波数を所定の周波数で一定となるように設定することによって行なわれる。従って、本実施の形態の試運転モードでは、リモコンスイッチ１２０によって設定された温度に対応する空調運転は行なわれない。
【００４２】
また、試運転モードへの切り換えは、リモコンスイッチ１２０の運転／停止ボタン１２４と温度設定ボタン１２６Ａとを重複操作（略同時に押下）することによって行なわれる。即ち、室内ユニット１２に設けられたマイコン７４は、リモコンスイッチ１２０から受信した操作信号に、運転／停止ボタン１２４と温度設定ボタン１２６Ａとを重複操作した際に生成される信号が含まれていた場合に上述したように試運転モードに設定する。なお、試運転モードの解除は、試運転モード実施中に運転／停止ボタン１２４を操作することによって行なうことができる。
【００４３】
なお、室外ユニット１４としては、室内ユニット１２との間でのシリアル通信等によってコンプレッサ２６の回転数が制御される一般的構成を用いることができ、本実施の形態では詳細な説明を省略する。
【００４４】
以下に、図７を参照して、本実施の形態の作用を説明する。なお、図７は、リモコンスイッチ１２０からの操作信号を受光部９６によって受信した場合に室内ユニット１２のマイコン７４で実行される割込み処理ルーチンのフローチャートである。
【００４５】
まずステップ２００では、受信した操作信号の解析を行ない、次のステップ２０２では、操作信号に「試運転モード」の指定が含まれているか否かを判定し、含まれていない場合はステップ２０４へ移行する。ここで、操作信号に試運転モードの指定が含まれているか否かの判定は、上述したように、受信した操作信号に運転／停止ボタン１２４と温度設定ボタン１２６Ａとの重複操作が行なわれた際に操作信号として生成される信号が含まれているか否かを判定することによって行なうことができる。
【００４６】
ステップ２０４では、受信した操作信号に「停止」の指定が含まれているか否か、即ち受信した操作信号に運転／停止ボタン１２４が押下された際に操作信号として生成される信号が含まれているか否かを判定し、含まれていない場合にはステップ２０６へ移行して、操作信号に応じた運転処理を行った後に本割込み処理ルーチンを終了する。
【００４７】
また、上記ステップ２０４の判定において、操作信号に「停止」の指定が含まれていると判定された場合にはステップ２０８へ移行してエアコン１０の運転を停止した後に本割込み処理ルーチンを終了する。
【００４８】
一方、上記ステップ２０２の判定において、操作信号に「試運転モード」の指定が含まれていると判定された場合にはステップ２１０へ移行して上述した試運転モードの設定を行なう。
【００４９】
次のステップ２１２では、上記ステップ２０４と同様に、受信した操作信号に「停止」の指定が含まれているか否かを判定し、含まれていない場合にはステップ２１４へ移行して、操作信号に応じた運転処理を行った後に本割込み処理ルーチンを終了する。なお、この時点でエアコン１０は試運転モードに設定、即ちコンプレッサ２６の駆動周波数が所定の周波数で一定となるように設定されているので、ステップ２１４の操作信号に応じた運転処理は、空調風の風向及び風量の設定のみが有効とされ、それ以外の運転処理は行なわれない。
【００５０】
一方、上記ステップ２１２の判定において、操作信号に「停止」の指定が含まれていると判定された場合にはステップ２１６へ移行して試運転モードを解除し、次のステップ２１８でエアコン１０の運転を停止した後に本割込み処理ルーチンを終了する。
【００５１】
以上詳細に説明したように、本実施の形態に係るエアコンでは、リモコンスイッチによって試運転モードに設定しているので、室内ユニットに設けられている運転切換スイッチによって設定する場合に比較して手間がかからず、かつ運転切換スイッチに試運転モードの設定機能を持たせる必要がなくなり、低コスト化することができる。
【００５２】
また、本実施の形態に係るエアコンでは、リモコンスイッチに設けられたボタンのうちの２つ（運転／停止ボタン及び温度設定ボタン）の重複操作によって試運転モードに設定しているので、エアコンの一般の使用者等による不用意な試運転モードの設定を防止することができる。
【００５３】
なお、以上説明した本実施の形態は、本発明の一例を示すものであり、本発明の構成を限定するものではない。
【００５４】
また、本実施の形態では、試運転モードへの切り換えをリモコンスイッチ１２０に設けられた運転／停止ボタン１２４及び温度設定ボタン１２６Ａの重複操作によって行なう場合について説明したが、本発明はこれに限定されるものではなく、リモコンスイッチ１２０に設けられたボタンのうちの複数のボタンの重複操作によって行なう形態であれば如何なる形態としてもよく、例えば運転／停止ボタン１２４及び１Ｈタイマーボタン１２８の重複操作や、運転／停止ボタン１２４、温度設定ボタン１２６Ａ及び１Ｈタイマーボタン１２８の３つのボタンの重複操作等により行なう形態とすることもできる。３つ以上のボタンの重複操作によって行なう場合には、本実施の形態に比較して操作が複雑化するが、誤指定の発生を、より防止することができる。ここで、試運転モードの設定用のスイッチとしては、リモコンスイッチ１２０に設けられている全てのボタン（スイッチ）を適用することができるが、操作性の面から、スライドカバー１３４によってカバーされないボタンを適用することが好ましい。
【００５５】
また、本実施の形態では、リモコンスイッチ１２０によって試運転モードを設定した場合、リモコンスイッチ１２０に設けられた表示部１２２に試運転モード中であることを示す試運転マーク１４０を表示する場合について説明したが、本発明はこれに限定されるものではなく、例えば室内ユニット１２に設けられている表示部９４（図１も参照）のＬＥＤ等によって表示する形態としてもよい。
【００５６】
また、本実施の形態では、リモコンスイッチ１２０によって操作されるエアコン１０に本発明を適用したが、本発明は、リモコンスイッチによって遠隔操作される任意の構成の空気調和機に適用することができる。
【００５７】
【発明の効果】
請求項１記載の空気調和機によれば、試運転モードへの移行をリモコンスイッチから送出される操作信号に基づいて行なっているので、試運転モードを運転切換スイッチによって設定する場合に比較して容易に設定することができると共に、運転切換スイッチに試運転モードの設定機能を持たせる必要がなくなり低コスト化することができる、という効果が得られる。
【００５８】
また、請求項１記載の空気調和機によれば、試運転モードへの移行を指示する信号がリモコンスイッチに設けられた複数のスイッチのうちの予め定められた２つ以上のスイッチの重複操作によって生成された信号とされているので、通常の空調運転時における各種操作は、リモコンスイッチに設けられた複数のスイッチの個別の操作によって行なわれ、偶然に上記予め定められた２つ以上のスイッチの重複操作が行なわれない限りは試運転モードに移行することがなく、空気調和機の一般の使用者等による誤った試運転モードヘの移行を防止することができる、という効果も得られる。
【図面の簡単な説明】
【図１】本実施の形態に適用したエアコンの室内ユニットとリモコンスイッチの外観を示す概略斜視図である。
【図２】エアコンの冷凍サイクルを示す概略構成図である。
【図３】エアコンの室内ユニットの電気回路の概略構成を示すブロック図である。
【図４】室内ユニットの概略構成を示す概略断面図である。
【図５】運転切換スイッチの外観を示す概略正面図である。
【図６】（Ａ）及び（Ｂ）はそれぞれリモコンスイッチの一例を示す概略図であり、（Ａ）はスライドカバーを閉じた状態を示し、（Ｂ）はスライドカバーを開いた状態を示している。
【図７】リモコンスイッチから操作信号が受信された際に室内ユニットに設けられたマイコンによって実行される割込み処理ルーチンのフローチャートである。
【図８】従来の技術の問題点の説明に供する図であり、従来のエアコンに設けられている運転切換スイッチの外観を示す概略正面図である。
【符号の説明】
１０    エアコン（空気調和機）
１２    室内ユニット
４２    ケーシング
７４    マイコン（設定手段）
８２    表示基板
９２    受信回路（受信手段）
９８    受光素子（受信手段）
１００    リモコン操作装置
１２０    リモコンスイッチ
１２４    運転／停止ボタン（スイッチ）
１２６    温度設定ボタン（スイッチ）
１２８    １Ｈタイマーボタン（スイッチ）
１３６    運転モードボタン（スイッチ）
１４２    風量ボタン（スイッチ）
１４４    風向ボタン（スイッチ）
１４６    入時間ボタン（スイッチ）
１４８    切時間ボタン（スイッチ）
１５０    設定ボタン（スイッチ）
【図１】
0004251698.tif 000002
【図２】
0004251698.tif 000003
【図３】
0004251698.tif 000004
【図４】
0004251698.tif 000005
【図５】
0004251698.tif 000006
【図６】
0004251698.tif 000007
【図７】
0004251698.tif 000008
【図８】
0004251698.tif 000009